(57)【特許請求の範囲】
【請求項１】
側壁と底板を有し上端側に開口部を備えた箱状の貯水部と、該貯水部の前記側壁と前記底板で画成される空間の上方に植物が植栽される土壌を収容する空間を画成する植栽部とを備えた緑化システムであって、
前記貯水部は、前記側壁の前記底板と繋がる下端側が前記上端よりも内側に配されて形成されており、前記植栽部は、前記貯水部の前記側壁の上方でかつ該側壁に沿って配設される複数の側壁板からなる側壁部と、前記側壁板を保持する略棒状の複数の脚部と、貫通孔を有し、前記側壁部の内側に設置されて前記貯水部の側壁と底板で画成される空間と前記土壌を収容する空間を、前記貫通孔を介して連通させつつ区画する略平板状の底板部とを備えており、
前記脚部は、上端側に、該上端から下端に向けて延びる複数の係合溝が設けられ、下端側に、分岐するように形成された複数の脚が設けられ、隣り合う前記脚の間に前記貯水部の側壁を挿入して設置されるとともに、前記側壁板を前記係合溝に係合させて着脱可能に保持することを特徴とする緑化システム。
【請求項２】
請求項１記載の緑化システムにおいて、
前記貯水部の前記側壁は、前記上端側から前記下端に向かうに従い漸次内側に傾斜するように形成されていることを特徴とする緑化システム。
【請求項３】
請求項１または請求項２に記載の緑化システムにおいて、
外装板が、前記脚部の複数の係合溝のうち前記側壁板が係合されていない他の係合溝に係合されつつ保持されて前記側壁板を覆うように外周側に設けられていることを特徴とする緑化システム。
【請求項４】
請求項１から請求項３のいずれかに記載の緑化システムにおいて、
前記植栽部の前記土壌を収容する空間内に、上方側からの平面視で該空間を分割して区画する仕切部が設置されており、該仕切部は、略矩形平板状の複数の仕切板がそれぞれの前記仕切板に形成された嵌合溝を介して互いに交差するように分離可能に嵌合されて形成されていることを特徴とする緑化システム。
【請求項５】
請求項４記載の緑化システムにおいて、
前記仕切板には、前記仕切部で分割して区画した前記空間を連通させる切欠部が設けられていることを特徴とする緑化システム。
【請求項６】
請求項１から請求項５のいずれかに記載の緑化システムにおいて、
前記底板部には、前記貯水部に貯留した水を、前記貫通孔を通じて前記土壌に供給するための吸水帯が取り付けられていることを特徴とする緑化システム。
【発明の詳細な説明】
【技術分野】
【０００１】
本発明は、例えば建築物の屋上、テラス、ベランダや、駐車場などの人工地盤上に敷設されて該人工地盤に緑化を施すための緑化システムに関する。
【背景技術】
【０００２】
従来、都市部におけるヒートアイランド現象の緩和や大気中の炭酸ガスの吸収、アメニティ空間の創出などを目的として、建築物や駐車場などの人工地盤上に植栽を施し緑化することが行なわれている。
【０００３】
この種の緑化システムには、例えば特許文献１に開示されるような、側壁（側壁部）と底面（底板部）を有し平面視略方形で上面開口の箱形の植栽部と、側壁と底面（底板）を有し平面視略方形で上面開口の箱形の貯水部とを備え、貯水部上に植栽部を分離可能に載置して構成される緑化ユニット（緑化体）を具備したものがある。この緑化システムでは、緑化ユニットの植栽部内に充填した人工土壌（土壌）上に種子を蒔いたり、切芝を載置するなどして植栽が施され、この状態の緑化ユニットを建築物の屋上などの人工地盤の敷設面に隙間なく複数敷設することにより人工地盤に緑化を施すことが可能とされている。また、この緑化システムにおいては、敷設した複数の緑化ユニットをそれぞれ個別に取り扱うことができるため、その設置や撤去が容易で施工性に優れるとともに、レイアウト変更などにも柔軟に対応できるという利点を有している。
【０００４】
また、特許文献１に開示された緑化ユニットにおいては、植栽部の底面に、土壌に供給された雨水などの水のうち土壌に保水されない余剰水を貯水部内に排出し、かつ空気の流通を可能にするための通水兼通気孔（貫通孔）が設けられている。さらに、植栽部の底面から略円柱状の複数の第１柱状部材が上方に突出するように設けられ、かつこの底面には下方に突出して垂設され、その下端面が貯水部の底面に当接する略円柱状の複数の第２柱状部材が設けられている。これにより、この緑化ユニットでは、余剰水が貯水部に排出されることで土壌に植栽した植物を好適に生育でき、かつ植栽部の上方から歩行者の踏圧などの外力が作用した場合においても、第１柱状部材と第２柱状部材により高い支持強度と安定性が付与されて、前記外力により植栽部や貯水部が破損することを防止している。
【特許文献１】特開２００４−２６１０１６号公報
【発明の開示】
【発明が解決しようとする課題】
【０００５】
しかしながら、上記の緑化システムにおいては、植栽部と貯水部がそれぞれ平面視略方形の略同形同大の箱状に形成されているため、人工地盤上に隙間なく敷設する際の取扱性がよい反面、これらを運搬する際には、複数の貯水部や複数の植栽部をそれぞれ積み重ねて大きな荷姿の状態で運搬せざるを得ず、運搬時の取扱性や運搬効率が悪く、施工性を悪化させていた。
【０００６】
また、植栽部が予め所定の大きさの箱状に形成されているため、例えば植栽する植物の種類の変更などに応じて土壌の厚さを大きくしたい場合に柔軟に対応できないという問題があった。
【０００７】
本発明は、上記事情を鑑み、各構成部材を効率的に運搬できるようにして施工性の向上を図るとともに、土壌厚の変更にも柔軟に対応可能な緑化システムを提供することを目的とする。
【課題を解決するための手段】
【０００８】
上記の目的を達するために、この発明は以下の手段を提供している。
【０００９】
本発明の緑化システムは、側壁と底板を有し上端側に開口部を備えた箱状の貯水部と、該貯水部の前記側壁と前記底板で画成される空間の上方に植物が植栽される土壌を収容する空間を画成する植栽部とを備えた緑化システムであって、前記貯水部は、前記側壁の前記底板と繋がる下端側が前記上端よりも内側に配されて形成されており、前記植栽部は、前記貯水部の前記側壁の上方でかつ該側壁に沿って配設される複数の側壁板からなる側壁部と、前記側壁板を保持する略棒状の複数の脚部と、貫通孔を有し、前記側壁部の内側に設置されて前記貯水部の側壁と底板で画成される空間と前記土壌を収容する空間を、前記貫通孔を介して連通させつつ区画する略平板状の底板部とを備えており、前記脚部は、上端側に、該上端から下端に向けて延びる複数の係合溝が設けられ、下端側に、分岐するように形成された複数の脚が設けられ、隣り合う前記脚の間に前記貯水部の側壁を挿入して設置されるとともに、前記側壁板を前記係合溝に係合させて着脱可能に保持することを特徴とする。
【００１０】
また、本発明の緑化システムにおいて、前記貯水部の前記側壁は、前記上端側から前記下端に向かうに従い漸次内側に傾斜するように形成されていることが望ましい。
【００１１】
さらに、本発明の緑化システムにおいては、外装板が、前記脚部の複数の係合溝のうち前記側壁板が係合されていない他の係合溝に係合されつつ保持されて前記側壁板を覆うように外周側に設けられていることがより望ましい。
【００１２】
また、本発明の緑化システムにおいては、前記植栽部の前記土壌を収容する空間内に、上方側からの平面視で該空間を分割して区画する仕切部が設置されており、該仕切部は、略矩形平板状の複数の仕切板がそれぞれの前記仕切板に形成された嵌合溝を介して互いに交差するように分離可能に嵌合されて形成されていることが望ましい。
【００１３】
さらに、本発明の緑化システムにおいては、前記仕切板に、前記仕切部で分割して区画した前記空間を連通させる切欠部が設けられていることがより望ましい。
【００１４】
また、本発明の緑化システムにおいては、前記底板部に、前記貯水部に貯留した水を、前記貫通孔を通じて前記土壌に供給するための吸水帯が取り付けられていることがさらに望ましい。
【発明の効果】
【００１５】
本発明の緑化システムにおいては、貯水部の側壁が、例えばテーパー形状とされて上端側よりも下端が内側に配されていることによって、貯水部の内部に他の貯水部の底板側を挿入しつつ係合させることが可能になる。これにより、複数の貯水部を運搬する際に、複数の貯水部を係合させつつ安定的に積み重ね、見掛けの容積を小さくした状態でまとめて運搬することが可能になる。よって、複数の貯水部の運搬時の取扱性や運搬効率の向上を図ることができ、施工性を向上させることが可能になる。
【００１６】
また、側壁の下端側を内側に配して貯水部を形成した場合には、人工地盤上に敷設した際に、隣り合う貯水部の側壁上端側同士が隙間なく密着されるのに対し、隣り合う貯水部の側壁下端側の間に隙間が画成されることになる。そして、この隙間は、複数の貯水部の並設方向に沿って延設する通水路を人工地盤上に形成することになり、この通水路を通じて人工地盤上に溜まってしまう雨水などの水を外部に排出することが可能になる。
【００１７】
さらに、本発明においては、植栽部が、複数の側壁板からなる側壁部と、側壁板を保持する略棒状の複数の脚部と、貯水部の空間と土壌を収容する空間を区画する略平板状の底板部とを備え、人工地盤上に敷設した貯水部の側壁が隣り合う脚の間に挿入されるように脚部を設置し、この脚部の係合溝に側壁板を係合させて側壁部を形成し、底板部を設置して組み立てるという簡易な操作で緑化システムを構築することができる。また、植栽部を形成する各構成部材が棒状や板状に形成されて分離されるため、緑化を施す現場に各構成部材を運搬する際には、それぞれの構成部材をまとめて運搬することができ、施工性を大幅に向上させることが可能になる。
【００１８】
また、脚部が複数の脚を備えて形成されているため、隣接する貯水部の側壁を１つの脚部の隣り合う脚の間に挿入させて、隣接する貯水部同士を脚部で保持することも可能である。さらに、この場合には、隣接する貯水部のそれぞれの側壁と底板で画成される空間の上方に、同一の脚部と側壁板を兼用して土壌を収容する空間を画成することができる。これにより、緑化システムを構成する部材点数を減らして、低コストで効率的な施工を行なうことが可能になる。
【００１９】
さらに、植栽部の空間に充填されて収容する土壌の層厚を大きく変更したい場合には、着脱可能とされた側壁板を、高さ寸法の大きな側壁板と交換するという簡易な操作で、植栽部の空間を上方に拡大することができ、柔軟に土壌の層厚変更に対応することができる。また、複数の係合溝のうち側壁板が係合されていない他の係合溝に係合されつつ保持されて側壁板を覆う外装板が設けられた場合には、緑化システムの外周側に化粧を施すことができるとともに、外装板を高さ寸法の大きな外装板と交換し、この外装板で画成された空間に土壌を収容するという簡易な操作で、土壌の層厚を大きくすることが可能になる。
【００２０】
また、本発明の緑化システムにおいては、植栽部の側壁部及び底板部で画成された空間を分割して区画する仕切部が設けられていることによって、植栽部の上方から歩行者の踏圧などの外力が作用した場合においても、この外力を仕切部で受けることができ、高い支持強度と安定性を付与することができる。これにより、植栽部や貯水部が外力によって破損することを防止できる。また、仕切部が、略矩形平板状の複数の仕切板を互いに嵌合させて形成されるものであるため、すなわち、仕切部が複数の仕切板を組み立てて形成される構成を採っているため、運搬時には分離した状態の仕切板をまとめて運搬でき、設置時に複数の仕切板を係合させて組み立てるという簡易な操作で容易に仕切部を形成し設置することができる。
【００２１】
さらに、仕切板に、仕切部で分割して区画した空間を連通させる切欠部が設けられていることにより、区画した空間内の土壌で生育する植物の根や、各空間に供給された水をこの切欠部を通じて他の空間（土壌）内に行き来させることができる。これにより、植物の好適な生育環境を保持することが可能になる。
【００２２】
また、植栽部の底板部に、貯水部に貯留した水を、貫通孔を通じて土壌に供給するための吸水帯が取り付けられていることによって、土壌に供給された雨水や灌水などの水のうち、土壌に保水されずに貯水部に貯められた余剰水を、吸水帯を介して再度土壌に供給することができる。これにより、雨水や灌水を有効に再利用できるため、灌水頻度を低下させることが可能になるとともに、植物の好適な生育環境を維持することができる。
【発明を実施するための最良の形態】
【００２３】
以下、図１から図８を参照し、本発明の一実施形態に係る緑化システムについて説明する。本実施形態は、建築物の屋上やベランダ、駐車場などの人工地盤上に敷設して人工地盤に緑化を施すための緑化システムに関するものである。
【００２４】
本実施形態の緑化システムＡは、図１から図３に示すように、雨水や灌水などの余剰水を貯留する貯水パネル（貯水部）１と、植栽を施す図示せぬ土壌を保持する植栽部２と、歩行者の踏圧などの外力を支持する仕切部３と、植栽部２に保持した土壌に貯水パネル１内の余剰水を供給するための吸水帯４と、植栽部２に取り付けられて緑化システムＡの外周側に化粧を施すための外装板５とが主な構成要素とされている。
【００２５】
貯水パネル１は、側壁１ａと底板１ｂを有し、平面視略正方形状の箱状に形成され、その上面側が開口されて開口部１ｃを備えている。また、側壁１ａは、上端から底板１ｂと繋がる下端に向かうに従い漸次貯水パネル１の内側に向けて傾斜するように形成されている。さらに、貯水パネル１には、側壁１ａと底板１ｂで画成される空間内に、それぞれ略矩形柱状を呈する４つの受部材１ｄが設けられており、これら受部材１ｄは、底板１ｂに下端が固着されつつ立設され、４つの角部６側のやや内側にそれぞれ設けられている。
【００２６】
植栽部２は、互いに分離した略長方形平板状の４枚の側壁板７ａからなる側壁部７と、略正方形平板状の底板部８と、貯水パネル１の４つの角部６にそれぞれ設置された４本の脚部９とから構成されている。側壁部２を構成する各側壁板７ａには、上端側に、長手方向外側に延出され、脚部９の後述する係合溝９ａに係合される平面視で略矩形状を呈する係合部７ｂが具備されている。また、側壁板７ａには、両側面のそれぞれの長手方向略中央に、側面に直交して突出するとともに互いに平行して上端側から下端側に延びる一対の突部７ｃが設けられている。この一対の突部７ｃは、互いの対向する面と側面とで保持溝７ｄを形成している。底板部８は、図１及び図３に示すように、平面視略正方形状の平板状に形成されるとともに、上面から下面に貫通する複数の排水孔（貫通孔）８ａが設けられている。
【００２７】
一方、脚部９は、図４から図６に示すように、略矩形棒状に形成されており、長手方向に延びる軸線Ｏ１に直交する断面が略正方形を呈するように形成されている。また、上端側には、図４に示す上面（上端）側からの平面視で、４つの側面からそれぞれ軸線Ｏ１に向けて凹み、図５に示す側面側からの平面視で、上面から軸線Ｏ１に沿って下端側に向けて延びる４条の係合溝９ａが凹設されている。これらの係合溝９ａは、それぞれ、軸線Ｏ１に直交する断面が矩形状に形成され、上面と側面とに開口しつつ上面から軸線Ｏ１方向中央よりも若干上面側に位置する範囲に設けられている。また、脚部９の下端側には、互いに平行な一対の側面にそれぞれ開口しつつ連通し、かつ互いに平行な他の一対の側面にもそれぞれ開口しつつ連通して、軸線Ｏ１に直交する断面視で十字状を呈する凹部９ｂが設けられている。そして、この凹部９ｂによって脚部９の下端側は、４つに分岐され、それぞれ断面略正方形を呈する４つの脚９ｃが形成されている。また、それぞれの脚９ｃは、図５に示すように、脚部９の下端から軸線Ｏ１に沿って軸線Ｏ１方向略中央まで延設され、側面視で隣り合う脚９ｃとともに凹部９ｂを画成する側面が、下端から軸線Ｏ１方向中央に向かうに従い漸次軸線Ｏ１側に傾斜するように形成されている。
【００２８】
本実施形態の仕切部３は、図１、図３及び図７に示すように、略長方形平板状に形成された同形同大の２枚の仕切板３ａ、３ｂからなり、これら２枚の仕切板３ａ、３ｂが分離可能に嵌合されて十字状を呈するように形成されている。この仕切部３を構成する２枚の仕切板３ａ、３ｂには、それぞれ、図７に示すように、長手方向に延びる軸線Ｏ２、Ｏ３方向中央に、下端から上端側に向けて切り欠かれた平面視矩形状の嵌合溝３ｃが設けられている。また、この嵌合溝３ｃは、仕切板３ａ、３ｂの厚さと略等しい幅を備え、かつ下端から上下方向中央まで延設されている。さらに、仕切板３ａ、３ｂには、軸線Ｏ２、Ｏ３方向一端と中央の間、及び軸線Ｏ２、Ｏ３方向中央と他端の間にそれぞれ、上端から下端に向けて凹み、かつ下端から上端に向けて凹む互いに上下方向に対向する一対の切欠部３ｄが設けられている。そして、このように形成された２枚の仕切板３ａ、３ｂは、一方の仕切板３ａの天地を逆に配しつつ対向する互いの嵌合溝３ｃを介して互いの軸線Ｏ２、Ｏ３が直交（交差）するように組み合わされて、十字状の仕切部３を形成している。
【００２９】
吸水帯４は、例えばウレタンやフェルトなどの繊維質部材、毛細管部材、パーライト、大谷石や麦飯石などの多孔質部材などを帯状に形成したり、帯状にまとめたものとされている。この吸水帯４は、図２及び図３に示すように、上端側が例えば植栽部２の底板部８に形成された一部の排水孔８ａに挿通されて支持され、下端側が底板部８から垂下するように設けられている。
【００３０】
外装板５は、図１及び図２に示すように、略長方形平板状に形成されるとともに、一方の側面に、この側面に直交して突出し、短手方向上端から下端側に延びる複数の突出部５ａが設けられている。また、これら突出部５ａは、長手方向に略等間隔で配設されている。そして、この外装板５は、緑化システムＡの外周側に配された側壁板７ａを覆うように取り付けられて、緑化システムＡの外周側に化粧を施している。
【００３１】
上記のように構成された貯水パネル１と植栽部２と仕切部３と吸水帯４と外装板５とを備える緑化システムＡは、図１から図３に示すように、はじめに、建築物の屋上などの人工地盤Ｔの敷設面Ｔ１に複数の貯水パネル１が隣接するように敷設される。そして、各貯水パネル１の互いに隣接する角部６に、脚部９が軸線Ｏ１を垂直に配した状態で設置される。このとき、脚部９は、図２に示すように、各貯水パネル１の側壁１ａを隣り合う脚９ｃの間に挿入し、すなわち１本ずつの脚９ｃを隣接するそれぞれの貯水パネル１の内側に配しつつ凹部９ｂに各貯水パネル１の側壁１ａを挿入して設置される。このように設置した状態で、図１及び図２に示すように、貯水パネル１の側壁１ａに沿って隣り合う脚部９は、係合溝９ａが互いに対向するように設置される。また、各脚部９は、各貯水パネル１の内側に配されたそれぞれの脚９ｃの下端が各貯水パネル１の底板１ｂに当接されて支持され、これとともに、隣接する貯水パネル１同士を保持している。
【００３２】
ついで、隣り合う脚部９の対向する一対の係合溝９ａに、上端側に形成された一対の係合部７ｂをそれぞれ係合させて、各貯水パネル１の上方にそれぞれ側壁板７ａが設置される。このとき、各側壁板７ａは、その下端が貯水パネル１の側壁１ａの上端に略当接した状態で保持される。このように設置した状態で、前記各側壁板７ａは、上端側からの平面視で略矩形状に並設され、側壁部７を形成する。そして、側壁部７の内部に底板部８を挿入して設置する。この底板部８は、水平に配設されてその下面が貯水パネル１の受部１ｄにそれぞれ当接されつつ支持されて設置される。これにより、各貯水パネル１の上方に、４本の脚部９と４枚の側壁板７ａと１つの底板部８からなる植栽部２が形成され、底板部８よりも上方に、側壁部２と底板部８で土壌を収容する空間１０が、底板部８よりも下方に、貯水パネル１の側壁１ａと底板１ｂで余剰水を貯留する空間１１が画成される。また、底板部８に取り付けた吸水帯４が貯水パネル１の空間１１内に配置される。なお、本実施形態の緑化システムＡでは、図１及び図２に示すように、複数の貯水パネル１が人工地盤Ｔ上に隣接して並べられて各貯水パネル１の上方にそれぞれ植栽部２が形成されている。また、このとき、隣接する貯水パネル１のそれぞれの空間１１の上方に画成される隣接する植栽部２の空間１０は、それぞれ脚部９と側壁板７ａを兼用した状態で画成されている。
【００３３】
ついで、植栽部２の側壁部７と底板部８で画成された空間１０内に仕切部３を設置する。このとき、仕切部３を構成する十字状に組み合わされた２枚の仕切板３ａ、３ｂのそれぞれの一端と他端が、各側壁板７ａの前記空間１０側に設けられた一対の突部７ｃからなる保持溝７ｄに係合されて保持される。また、仕切部３の上端は、側壁部７の上端と同一水平面上、もしくは僅かに側壁部７の上端よりも下方に配置される。このように仕切部３を設置した段階で、この十字状の仕切部３により植栽部２の前記空間１０が４つに分割されて区画される。
【００３４】
ついで、外周側に、主に化粧を施すことを目的とした外装板５を設置する。本実施形態では、外装板５の側面に形成された突出部５ａを、脚部９のそれぞれ外側を向いて開口する係合溝９ａに係合させ、かつ側壁板７ａの外側を向く側面に形成された一対の突部７ｃの保持溝７ｄにも突出部５ａを係合させて、外周側の側壁板７ａを覆うように外装板５が設置される。このように各構成部材が組み立てられた段階で、それぞれの植栽部２内の仕切部３で４つに区画された空間１０内に、上面が側壁部２の上端と略同一水平面上に位置するように図示せぬ土壌を充填し、この土壌上に種子を蒔いたり、切芝を載置するなどして植栽が施される。また、必要に応じて土壌及び植栽した植物に液肥や灌水を供給する図示せぬ灌水手段が設置されて本実施形態の緑化システムＡの施工が完了する。
【００３５】
ここで、従来の緑化システムでは、貯水部や植栽部がそれぞれ同形同大の矩形箱状に形成されているため、これらの設置数が多くなるほど貯水部や植栽部の運搬効率が悪くなり、施工性の悪化を招いていた。また、植栽部が予め所定の大きさの定形箱状に形成されているため、例えば植物の種類などの変更に応じて植栽部に収容する土壌を増量し、その厚さを大きくすることができず、柔軟に対応できないという問題があった。
【００３６】
これに対して、本実施形態の緑化システムＡにおいては、図８に示すように、貯水パネル１の側壁１ａがテーパー状に形成されているため、貯水パネル１の内部に他の貯水パネル１の下端側を挿入しつつ係合させてゆき、複数の貯水パネル１を安定的に積み重ねてまとめることができる。これにより、本実施形態では、複数の貯水パネル１が、係合しつつ積み重ねて安定的にまとめられてその見掛けの容積が小さくなり、効率的に複数の貯水パネル１を運搬することができる。また、植栽部２においても、図３に示すように、側壁部７（側壁板７ａ）と底板部８と脚部９がそれぞれ分離されて平板状や棒状に形成されているため、従来の緑化システムで用いる矩形箱状の植栽部と比較して、見掛けの容積を小さくした状態でこれらの各構成部材をそれぞれ個別にまとめて運搬することができる。さらに、仕切部３においても、図７に示すように、２枚の仕切板３ａ、３ｂから構成され、各仕切板３ａ、３ｂに形成した嵌合溝３ｃを介して互いを組み合わせることで所定の形状に形成できるため、運搬時には２枚の仕切板３ａ、３ｂを分離した状態でまとめて運搬することができる。また、本実施形態においては、２枚の仕切板３ａ、３ｂが同形同大とされているため、特にその仕分けを行う必要がなく容易に組み合わせることが可能とされる。
【００３７】
また、本実施形態の緑化システムＡでは、植物の種類などに応じて植栽部２に収容する土壌の厚さを大きくしたい場合、脚部９の係合溝９ａに係合されて着脱可能とされた側壁板７ａを、高さ寸法の大きな側壁板７ａと交換するという簡易な操作で、植栽部２の空間１０を上方に拡大することができ、柔軟に土壌の層厚変更に対応することができる。また、外周側の側壁板７ａを覆うように設けられた外装板５を高さ寸法の大きな外装板５と交換しても、この外装板５で画成された空間に土壌を収容するという簡易な操作で、所望の厚さの土壌を形成できる。
【００３８】
また、本実施形態では、緑化システムＡに雨水（または灌水手段からの灌水）が供給された際に、土壌に雨水が浸透し、その一部が土壌に保水されて植物の生育に供される。この一方で、土壌に保水されずに下方に通過した余剰水が、底板部８の排水孔８ａを通じて流下し貯水パネル１の空間１１に貯留されることになる。このように貯水された余剰水は、例えば晴天時に吸水帯４によって吸い上げられ、再度上方に位置する土壌に供給されて植物の生育に供されることになる。よって、本実施形態の緑化システムＡでは、雨水や灌水の余剰水を貯留し再度上方の土壌に供給できるため、灌水手段による灌水頻度を低減することができる。
【００３９】
さらに、図２に示すように、貯水パネル１の側壁１ａがテーパー状に形成されているため、隣り合う貯水パネル１の側壁１ａの間には、これらの側壁１ａと人工地盤Ｔの敷設面Ｔ１とにより断面三角形状の通水路１２が画成される。この通水路１２が画成されることにより、本実施形態の緑化システムＡでは、人工地盤Ｔ上に溜まる雨水をこの通水路１２を流通させて排出することができる。
【００４０】
また、本実施形態では、仕切部３が土壌中に設けられていることによって、緑化システムＡが施工された後に、例えば歩行者の踏圧などの外力が作用した場合においても、この外力を仕切部３で受けて支持することができる。これにより、例えば植栽部２の側壁部７などに集中的に外力が作用することを防止でき、緑化システムＡが損傷することを防止できる。また、このとき、仕切部３で植栽部２の４つに分割された空間１０内に土壌が充填されることになるため、外力が作用した土壌が片寄ってしまったりすることがなく、好適な状態で土壌を保持することも可能になる。
【００４１】
さらに、仕切部３で土壌が４分割された場合においても、仕切板７ａに設けられた複数の切欠部３ｄを通じて、植栽された植物の根や、灌水された水を、分割した土壌間で行き来させることができる。これにより、植物の生育を好適な状態で維持することが可能になる。
【００４２】
したがって、本実施形態の緑化システムＡによれば、各構成部材を分離状態で効率的に運搬して施工性の向上を図ることが可能とされるとともに、土壌厚の変更にも柔軟に対応することができる。また、シンプルに構成された各構成部材を容易に組み立てて緑化システムＡを構築でき、かつ土壌を収容する植栽部２の空間１０を、側壁板７ａと脚部９を兼用して複数形成できるため、コストの低減を図ることも可能になる。
【００４３】
以上、本発明に係る緑化システムＡの実施形態について説明したが、本発明は上記の一実施形態に限定されるものではなく、その趣旨を逸脱しない範囲で適宜変更可能である。例えば、本実施形態では、貯水パネル１の側壁１ａがテーパー状に形成されることによって、複数の貯水パネル１を係合させつつ積み重ね、見掛けの容積を小さくした状態でまとめて運搬することが可能であるとしたが、例えば、貯水パネル１の側壁１ａに、上端側の側壁１ａに対し下端側の側壁１ａを内側に配置する段差部を形成し、下端側を上端側と平行しつつ下方に垂直に延びるように形成してもよいものである。このように形成した場合には、本実施形態と同様、貯水パネル１の下端側を他の貯水パネル１の上端側の開口部１ｃから挿入して、複数の貯水パネル１を係合させつつ積み重ね、見掛けの容積を小さくすることができる。よって、効率的に複数の貯水パネル１をまとめて運搬することができる。
【００４４】
また、本実施形態では、人工地盤Ｔ上に複数の貯水パネル１が敷設されて緑化システムＡが構成されているものとしたが、１つの貯水パネル１に１つの植栽部２が設けられて緑化システムＡが構成されてもよい。さらに、本実施形態では、貯水パネル１や底板部８がそれぞれ平面視正方形状を呈するように形成されているものとしたが、特にその平面視形状が限定される必要はなく、例えばそれぞれ平面視長方形状に形成されてもよい。
【００４５】
また、本実施形態では、仕切部３が具備されているものとしたが、歩行者の踏圧などの外力が作用しない、もしくは外力が作用しても例えば側壁部７が損傷したり、土壌に片寄りが生じないと判断される場合には、必ずしも仕切部３が具備されなくてもよい。また、仕切部３が２枚の仕切板３ａ、３ｂを組み合わせて十字状に形成されているものとしたが、例えば仕切板３ａ、３ｂに複数の嵌合溝３ｃを形成し、３枚以上の仕切板を互いに組み合わせ、仕切部３が例えば格子状に形成されてもよい。この場合には、仕切板の数に応じて、本実施形態の仕切部３よりも大きな外力を支持することができ、より安定的に土壌や緑化システムＡを保持することができる。また、これに加えて、仕切板３ａ、３ｂにそれぞれ断面コ字状を呈する一対の切欠部３ｄが２組設けられているものとしたが、仕切部３で区画した土壌間に植物の根や水が行き来できるように切欠部３ｄが形成されていれば、切欠部３ｄの形状や配置、数などは特に限定を必要とするものではない。
【図面の簡単な説明】
【００４６】
【図１】本発明の一実施形態に係る緑化システムを示す平面図である。
【図２】図１のＸ−Ｘ線矢視図である。
【図３】図１の緑化システムの一部を示す分解斜視図である。
【図４】本発明の一実施形態に係る緑化システムに具備される脚部を示す上面図である。
【図５】本発明の一実施形態に係る緑化システムに具備される脚部を示す側面図である。
【図６】本発明の一実施形態に係る緑化システムに具備される脚部を示す下面図である。
【図７】本発明の一実施形態に係る緑化システムに具備される仕切部の分解斜視図である。
【図８】本発明の一実施形態に係る緑化システムに具備される貯水部を積み重ねた状態を示す断面図である。
【符号の説明】
【００４７】
１      貯水パネル（貯水部）
１ａ    側壁
１ｂ    底板
１ｃ    開口部
２      植栽部
３      仕切部
３ａ    仕切板
３ｂ    仕切板
３ｃ    嵌合部
３ｄ    切欠部
４      吸水帯
５      外装板
５ａ    突出部
６      角部
７      側壁部
７ａ    側壁板
７ｂ    係合部
７ｃ    突部
７ｄ    保持溝
８      底板部
８ａ    排水孔（貫通孔）
９      脚部
９ａ    係合溝
９ｂ    凹部
９ｃ    脚
１０    空間
１１    空間
１２    通水路
Ａ      緑化システム
Ｔ      人工地盤
Ｔ１    敷設面
【図１】
0004753074.tif 000002
【図２】
0004753074.tif 000003
【図３】
0004753074.tif 000004
【図４】
0004753074.tif 000005
【図５】
0004753074.tif 000006
【図６】
0004753074.tif 000007
【図７】
0004753074.tif 000008
【図８】
0004753074.tif 000009